【手続補正書】
【提出日】平成27年11月30日(2015.11.30)
【手続補正１】
【補正対象書類名】特許請求の範囲
【補正対象項目名】全文
【補正方法】変更
【補正の内容】
【特許請求の範囲】
【請求項１】
１または複数の基材と、
前記１または複数の基材のうちの１つの基材である第１基材と平行に配置され、前記第１基材の湾曲と相関のある第１信号を出力する１または複数のセンサと、
前記１または複数の基材のうちの１つの基材である第２基材上に配置され、固有情報に関する第２信号を、外部からの電圧印加に応じて出力する回路と
を備えたカード。
【請求項２】
前記１または複数のセンサと、前記回路とは、互いに同一層内に設けられている
請求項１に記載のカード。
【請求項３】
前記複数の基材を備え、
前記第１基材と前記第２基材とは、同一であり、
前記複数の基材のうちの前記第１基材および前記第２基材を除く少なくとも１つの基材が、前記１または複数のセンサおよび前記回路の上面を覆っている
請求項１または請求項２に記載のカード。
【請求項４】
各センサは、前記第１基材の湾曲に伴って湾曲することにより当該センサの上面と下面との間に電位差を生じる素子であり、
当該カードは、
前記上面に電気的に接続された第１配線と、
前記下面に電気的に接続された第２配線と、
前記第１配線に電気的に接続されるとともに前記第１基材の端縁に配置された第１端子と、
前記第２配線に電気的に接続されるとともに前記第１基材の端縁に配置された第２端子と
を備えた
請求項１ないし請求項３のいずれか一項に記載のカード。
【請求項５】
前記回路は、前記第２基材への印刷によって形成された印刷パターンであり、
当該カードは、前記印刷パターンに電気的に接続されるとともに前記第２基材の端縁に配置された複数の第３端子を備えた
請求項１ないし請求項４のいずれか一項に記載のカード。
【請求項６】
前記回路は、
１または複数の断線箇所を有する複数の回路ブロックが並列接続された並列回路と、
前記１または複数の断線箇所のうちの全部または一部を導通させる導電性部材と
を有する
請求項５に記載のカード。
【請求項７】
前記回路は、抵抗値の互いに異なる複数の回路ブロックが並列接続された並列回路を有する
請求項５に記載のカード。
【請求項８】
基材の湾曲と相関のある第１信号を出力する１または複数のセンサを備えた１または複数のカードと着脱可能に接続される１または複数の接続部を介して前記第１信号を読み取る読取部と、
前記読取部で読み取られた前記第１信号に基づいて所定の制御信号を生成する生成部と
を備えた
情報処理装置。
【請求項９】
前記１または複数のカードは、固有情報に関する第２信号を外部からの電圧印加に応じて出力する回路を備え、
前記読取部は、前記１または複数の接続部を介して前記第２信号を読み取り、
前記生成部は、前記第１信号および前記第２信号と、前記固有情報と関連付けられた第１関連情報とに基づいて前記所定の制御信号を生成する
請求項８に記載の情報処理装置。
【請求項１０】
前記生成部は、前記１つのカードから取得された情報に、複数種類の前記第１信号が含まれている場合には、前記複数種類の第１信号と関連付けられた第２関連情報も用いて、前記所定の制御信号を生成する
請求項８または請求項９に記載の情報処理装置。
【請求項１１】
前記生成部は、前記複数のカードのうちの１つのカードである第１カードから取得した前記第１信号を用いて前記所定の制御信号を生成する際に、前記複数のカードのうちの前記第１カードとは異なる１または複数の第２カードから取得した情報も用いて、前記所定の制御信号を生成する
請求項８ないし請求項１０のいずれか一項に記載の情報処理装置。
【請求項１２】
前記生成部は、前記第１信号の取得タイミングまたは取得状況によって内容が変化し得るパラメータも用いて、前記所定の制御信号を生成する
請求項８ないし請求項１１のいずれか一項に記載の情報処理装置。
【請求項１３】
前記１または複数の接続部は、前記読取部および前記生成部とは別体で設けられている
請求項８ないし請求項１２のいずれか一項に記載の情報処理装置。
【請求項１４】
基材の湾曲と相関のある第１信号を出力する１または複数のセンサを備えた１または複数のカードと着脱可能に接続される１または複数の接続部を介して前記第１信号を読み取ることと、
読み取った前記第１信号に基づいて所定の制御信号を生成すること
をコンピュータに実行させる
情報処理プログラム。
【請求項１５】
前記１または複数のカードは、固有情報に関する第２信号を外部からの電圧印加に応じて出力する回路を備え、
当該情報処理プログラムは、
前記１または複数の接続部を介して前記前記１または複数のカードに対して所定の電圧を印加させて前記第２信号を読み取ることと、
読み取った前記第１信号および前記第２信号に基づいて前記所定の制御信号を生成すること
をコンピュータに実行させる
請求項１４に記載の情報処理プログラム。
【請求項１６】
前記１つのカードから取得された情報に、複数種類の前記第１信号が含まれている場合には、前記複数種類の第１信号と関連付けられた第２関連情報も用いて、前記所定の制御信号を生成することをコンピュータに実行させる
請求項１４または請求項１５に記載の情報処理プログラム。
【請求項１７】
前記複数のカードのうちの１つのカードである第１カードから取得した前記第１信号を用いて前記所定の制御信号を生成する際に、前記複数のカードのうちの前記第１カードとは異なる１または複数の第２カードから取得した情報も用いて、前記所定の制御信号を生成することをコンピュータに実行させる
請求項１４ないし請求項１６のいずれか一項に記載の情報処理プログラム。
【請求項１８】
前記第１信号の取得タイミングまたは取得状況によって内容が変化し得るパラメータも用いて、前記所定の制御信号を生成することをコンピュータに実行させる
請求項１４ないし請求項１７のいずれか一項に記載の情報処理プログラム。
【手続補正２】
【補正対象書類名】明細書
【補正対象項目名】０００２
【補正方法】変更
【補正の内容】
【０００２】
トレーディングカードゲーム（Trading Card Game：ＴＣＧ）と呼ばれる、専用のカードを用いて行うカードゲームが近年、流行している。ＴＣＧは、海外の一部では、コレクタブルカードゲーム（Collectable Card Game：ＣＣＧ）と呼ばれている。ＴＣＧでは、各プレーヤが、収集したカードを持ち寄り、決められたルールに則してゲームを楽しむ。最近では、ゲームをより複雑化し、バリエーションを与える方法として、カードと電子ゲーム機を組み合わせたトレーディングカードアーケードゲーム（Trading Card Arcade Game：ＴＣＡＧ）が開発されている。
【手続補正３】
【補正対象書類名】明細書
【補正対象項目名】００１４
【補正方法】変更
【補正の内容】
【００１４】
【図１】本技術による一実施の形態に係る情報処理ネットワークの概略構成図である。
【図２】図１の情報処理装置の機能ブロックの一例を表す図である。
【図３】図１の情報処理装置の機能ブロックの他の例を表す図である。
【図４】図２、図３の関連情報の一例を表す図である。
【図５Ａ】図１のカードを「曲げる」様子を表す図である。
【図５Ｂ】図１のカードを「捻じる」様子を表す図である。
【図５Ｃ】図１のカードを「弾く」様子を表す図である。
【図６】図１の接続部およびカードの構成の一例を表す図である。
【図７Ａ】図６のカードの電極と、図６の接続部の電極との、正面側の位置関係の一例を表す図である。
【図７Ｂ】図６のカードの電極と、図６の接続部の電極との、背面側の位置関係の一例を表す図である。
【図８Ａ】図６のカードの電極と、図６の接続部の電極との、正面側の位置関係の他の例を表す図である。
【図８Ｂ】図６のカードの電極と、図６の接続部の電極との、背面側の位置関係の他の例を表す図である。
【図９】図１の接続部およびカードの構成の一変形例を表す図である。
【図１０】図９の曲げセンサの断面構成の一例を表す図である。
【図１１】図９の曲げセンサの断面構成の他の例を表す図である。
【図１２Ａ】図９のカードのうち、曲げセンサおよびその近傍の断面構成の一例を表す図である。
【図１２Ｂ】図９のカードのうち、曲げセンサおよびその近傍の平面構成の一例を表す図である。
【図１３Ａ】図９のカードのうち、抵抗およびその近傍の断面構成の一例を表す図である。
【図１３Ｂ】図９のカードのうち、抵抗およびその近傍の平面構成の一例を表す図である。
【図１４Ａ】図９のカードのうち、電極およびその近傍の断面構成の一例を表す図である。
【図１４Ｂ】図９のカードのうち、電極およびその近傍の平面構成の一例を表す図である。
【図１５Ａ】図９のカードのうち、電極およびその近傍の断面構成の他の例を表す図である。
【図１５Ｂ】図９のカードのうち、電極およびその近傍の平面構成の他の例を表す図である。
【図１６】図９のカードの製造方法の一例を表す流れ図である。
【図１７Ａ】図９のカードの製造手順の一例を表す平面図である。
【図１７Ｂ】図１７Ａに続く製造手順の一例を表す図である。
【図１７Ｃ】図１７Ｂに続く製造手順の一例を表す図である。
【図１７Ｄ】図１７Ｃに続く製造手順の一例を表す図である。
【図１８Ａ】図１７Ｄに続く製造手順の一例を表す図である。
【図１８Ｂ】図１８Ａに続く製造手順の一例を表す図である。
【図１８Ｃ】図１８Ｂに続く製造手順の一例を表す図である。
【図１８Ｄ】図１８Ｃに続く製造手順の一例を表す図である。
【図１９】図９のカードの一変形例を表す図である。
【図２０】図１９のカードの製造方法の一例を表す流れ図である。
【図２１Ａ】図１９のカードの製造方法の一例を表す平面図である。
【図２１Ｂ】図２１Ａに続く製造手順の一例を表す図である。
【図２１Ｃ】図２１Ｂに続く製造手順の一例を表す図である。
【図２２】図１の接続部およびカードの構成の他の変形例を表す図である。
【図２３】図９、図１９、図２２の曲げセンサに接続された配線の他の例を表す図である。
【図２４Ａ】図２３の曲げセンサの断面構成の一例を表す図である。
【図２４Ｂ】図２３の曲げセンサの平面構成の一例を表す図である。
【図２５Ａ】図９、図１９、図２２、図２３の曲げセンサの配置の一例を表す図である。
【図２５Ｂ】図９、図１９、図２２、図２３の曲げセンサの配置の一例を表す図である。
【図２５Ｃ】図９、図１９、図２２、図２３の曲げセンサの配置の一例を表す図である。
【図２５Ｄ】図９、図１９、図２２、図２３の曲げセンサの形状の一例を表す図である。
【図２６】図２、図３の情報処理プログラムを実行したときの手順の一例を表す流れ図である。
【図２７】図６のカードの第１変形例を表す図である。
【図２８】図１の情報処理ネットワークの概略構成の第１変形例を表す図である。
【図２９】図１の情報処理ネットワークの概略構成の第２変形例を表す図である。
【図３０】図６のカードの第２変形例を表す図である。
【図３１】図３０のカードを用いた情報処理ネットワークにおける情報処理装置の機能ブロックの一例を表す図である。
【図３２】図３０のカードを用いた情報処理ネットワークの概略構成の一例を表す図である。
【図３３Ａ】図３０のカードの内部構成の一例を表す図である。
【図３３Ｂ】図３０のカードの内部構成の一例を表す図である。
【図３４】図３０のカードを用いた情報処理ネットワークの概略構成の他の例を表す図である。
【手続補正４】
【補正対象書類名】明細書
【補正対象項目名】００３２
【補正方法】変更
【補正の内容】
【００３２】
例えば、図７Ａ、図７Ｂに示したように、表面３０Ａだけに複数の電極３３が設けられており、カード３０の複数の電極３３の形成位置と、接続部２０の複数の電極２３の形成位置とが互いに対応している場合には、接続部２０の複数の電極２３が、スロット２２内の１つの側面だけに１列だけ並んで配置されていることが好ましい。この場合、カード３０が表裏逆に挿し込まれたときに、カード３０の各電極３３が、接続部２０の各電極２３と接触しないので、カード３０内の情報が接続部２０によって誤認識されるのを防ぐことができる。
【手続補正５】
【補正対象書類名】明細書
【補正対象項目名】００３４
【補正方法】変更
【補正の内容】
【００３４】
図９は、接続部２０およびカード３０の内部構成の一例を表したものである。接続部２０では、ＩＤ読取回路２４は、例えば、ＶＣＣ線と、複数入力１出力のスイッチＳＷと、抵抗Ｒと、ＩＤ検出線とを含んで構成されている。スイッチＳＷの出力側には、抵抗ＲとＩＤ検出線とが互いに並列接続されており、スイッチＳＷの入力側には、複数の電極２３（図９中の１，２，３，４，５）がスイッチＳＷの入力端子ごとに１つずつ接続されている。ＩＤ読取回路２４は、例えば、カード読取制御部１３からの制御信号に応じて、ＶＣＣ線を介して所定の電圧をカード３０に供給するとともに、スイッチＳＷをスイッチング動作させる。これにより、ＩＤ読取回路２４は、複数の電極２３（図９中の１，２，３，４，５）から出力されてくる複数の電圧（パラレルデータ）をシリアルの電圧Ｖａ（シリアルデータ）に変換してＩＤ検出線に出力する。カード読取制御部１３は、例えば、ＩＤ読取回路２４から取得したアナログの電圧Ｖａをデジタルの電圧Ｖａ'に変換し、制御部１１に出力する。従って、制御部１１は、例えば、カード読取制御部１３および接続部２０を介して取得した電圧Ｖａ'（第２信号）から、カード３０の固有情報１２Ｃを読み取る。曲げ情報読取回路２５は、後述の曲げセンサ３２ごとに設けられている。曲げ情報読取回路２５は、例えば、１つの曲げセンサ３２と電気的に接続される２つの電極２３（図９中のＡ，Ｂ、またはＣ，Ｄ）に対して、１本ずつ接続された２本の配線を有している。曲げ情報読取回路２５は、例えば、図９中のＡ，Ｂに対応する２つの電極２３から出力されてくる２つの電圧Ｖｃ１，Ｖｄ１を、２本の配線を介してカード読取制御部１３に出力する。同様に、曲げ情報読取回路２５は、例えば、図９中のＣ，Ｄに対応する２つの電極２３から出力されてくる２つの電圧Ｖｃ２，Ｖｄ２を、２本の配線を介してカード読取制御部１３に出力する。カード読取制御部１３は、例えば、曲げ情報読取回路２５から取得したアナログの２つの電圧Ｖｃ１，Ｖｄ１の電位差（＝Ｖｃ１−Ｖｄ１）をデジタルの電圧ΔＶ１に変換し、制御部１１に出力する。同様に、カード読取制御部１３は、例えば、曲げ情報読取回路２５から取得したアナログの２つの電圧Ｖｃ２，Ｖｄ２の電位差（＝Ｖｃ２−Ｖｄ２）をデジタルの電圧ΔＶ２に変換し、制御部１１に出力する。従って、制御部１１は、例えば、カード読取制御部１３および接続部２０を介して取得した電圧ΔＶ１，ΔＶ２（第１信号）から、カード３０の曲げモードを読み取る。
【手続補正６】
【補正対象書類名】明細書
【補正対象項目名】００３７
【補正方法】変更
【補正の内容】
【００３７】
曲げセンサ３２は、カード３０に含まれる１または複数の基材のうちの１つの基材（第１基材）と平行に配置されている。曲げセンサ３２の上面に配線３２Ａ（第１配線）が電気的に接続されるとともに、曲げセンサ３２の下面にも別の配線３２Ａ（第２配線）が電気的に接続されている。上面および下面に接続された２つの配線３２Ａは、それぞれ、互いに異なる電極３３に接続されている。
【手続補正７】
【補正対象書類名】明細書
【補正対象項目名】００５８
【補正方法】変更
【補正の内容】
【００５８】
また、図９、図１９、図２２に記載のカード３０では、常に、２本の曲げセンサ３２がカード３０に設けられており、また、カード３０の左右両端縁に配置されている。しかし、例えば、図２５Ａ、図２５Ｂに示したように、３本の曲げセンサ３２がカード３０に設けられていてもよい。図２５Ｂに示したように、全ての曲げセンサ３２が、カード３０の端縁に設けられていてもよいが、図２５Ａに示したように、一部の曲げセンサ３０が、カード３０の端縁以外の箇所（例えば、カード３０中央）に設けられていてもよい。また、図２５Ｃに示したように、２本の曲げセンサ３２が互いに絶縁された状態で、互いに交差する位置に配置されていてもよい。また、曲げセンサ３２は、単なる帯状とは異なる形状となっていてもよい。例えば、図２５Ｄに示したように、曲げセンサ３２が、Ｘ形状となっていてもよい。
【手続補正８】
【補正対象書類名】明細書
【補正対象項目名】００５９
【補正方法】変更
【補正の内容】
【００５９】
次に、ロードされた情報処理プログラム１２Ａの命令が制御部１１によって解釈され、実行されたときの情報処理装置１０の動作について説明する。
【手続補正９】
【補正対象書類名】明細書
【補正対象項目名】００６０
【補正方法】変更
【補正の内容】
【００６０】
図２６は、情報処理装置１０の動作の手順の流れの一例を表したものである。従って、制御部１１は、図２６に示した動作の一部を省略したり、図２６に示した動作に、新たな動作を加えたりすることもあり得る。
【手続補正１０】
【補正対象書類名】明細書
【補正対象項目名】００６１
【補正方法】変更
【補正の内容】
【００６１】
まず、ユーザが、情報処理装置１０の電源を入れる。すると、情報処理プログラム１２Ａがロードされ、情報処理プログラム１２Ａが起動する。制御部１１は、ロードされた情報処理プログラム１２Ａの命令に従って動作する。例えば、ユーザが入力部１６を介してスタートを要求する。すると、制御部１１は、カード３０を接続部２０に挿し込むことを要求する映像信号を生成し、映像信号出力部１４を介して、表示装置５０に送信する。その結果、表示装置５０の画面に、カード３０を接続部２０に挿し込み、カード３０を操作することを促す映像が表示される。
【手続補正１１】
【補正対象書類名】明細書
【補正対象項目名】００８３
【補正方法】変更
【補正の内容】
【００８３】
アンテナ３９Ｂは、例えば、アンテナコイルで構成されている。ＲＦ−ＩＤは、例えば、曲げセンサ３２と同一層内に設けられている。ＲＦ−ＩＤは、例えば、曲げセンサ３２と共通の基材３４上に設けられている。曲げセンサ３２は、例えば、図３３Ａに示したように、アンテナ３９Ｂの周囲（外周部分）に配置されていてもよいし、例えば、図３３Ｂに示したように、アンテナ３９Ｂの開口部分に配置されていてもよい。